(57)【要約】【課題】冷凍サイクルの室外機の補助冷却装置の室外機への取付け作業を簡単化・容易化することができる補助冷却装置の室外機への取付け構造及び取付け方法を提供する。【解決手段】補助冷却装置３０をその上部において第１ブラケット１０に吊り下げて支持させるので、補助冷却装置３０の重量は、作業者が支える必要なく、固定直前まで第１ブラケット１０によって支える。これにより、補助冷却装置３０の仮の位置決めができ、補助冷却装置３０をその状態から若干移動させるだけで所定の位置に位置決めしてブラケット１０，２０に固定することができる。【選択図】図２
2009127891.tif 000002
【特許請求の範囲】
【請求項１】
冷凍サイクルの室外機の空気吸込口に対向して通気性を有するマットを配置し、該マットを通過して前記空気吸込口に吸入される冷却用空気を前記マットに給水された水と接触させて冷却するようにした補助冷却装置の室外機への取付け構造であって、
前記室外機に取り付けられ、前記マットが前記空気吸込口に対向した状態で前記補助冷却装置を吊下げ支持する支持手段と、
前記支持手段に支持された前記補助冷却装置を前記空気吸込口に対して所定の位置に配置された状態で固定する固定手段と、
を具備することを特徴とする補助冷却装置の室外機への取付け構造。
【請求項２】
前記室外機に取り付けられ、前記補助冷却装置の左右両側の上部に係合して前記補助冷却装置を吊下げ支持する一対の第１ブラケットと、前記室外機に取り付けられ、前記補助冷却装置の左右両側の下部に係合する一対の第２ブラケットとを含むことを特徴とする請求項１記載の補助冷却装置の室外機への取付け構造。
【請求項３】
前記第１ブラケットが前記補助冷却装置に係合した状態において、前記補助冷却装置が前記空気吸込口に対して接離する方向及び横方向に移動しても前記第１ブラケットと前記補助冷却装置との係合が外れないように構成したことを特徴とする請求項２記載の補助冷却装置の室外機への取付け構造。
【請求項４】
前記第１及び第２ブラケットは、前記補助冷却装置を前記空気吸込口から所定距離離間した状態に位置決めするスペーサを兼ねるように形成されていることを特徴とする請求項２又は３記載の補助冷却装置の室外機への取付け構造。
【請求項５】
前記第１及び第２ブラケットが、前記室外機に装備されている締結部材を介して前記室外機に取り付けられることを特徴とする請求項２乃至４のいずれかに記載の補助冷却装置の室外機への取付け構造。
【発明の詳細な説明】
【技術分野】
【０００１】
この発明は、空調・冷凍・冷蔵装置等の冷凍サイクルに用いる熱交換手段である室外機に吸入される冷却用の空気を給水されたマットに通過させることで冷却する補助冷却装置の室外機への取付け構造に関する。
【背景技術】
【０００２】
従来、空調・冷凍・冷蔵装置等の冷凍サイクルに用いられる凝縮器は、冷媒を液化するために冷却する必要がある。凝縮器の冷却を空気で行う空冷式は、装置構造が簡便なため安価であるが、夏場の高温時等にも冷却効率を維持するため、補助冷却装置を併用することが提案されている。その一例として、凝縮器の放熱フィンの近傍に通気性を有するマットを配置し、例えば、圧縮機が運転されている時で外気温度が高温になった場合に、該マットに冷却水を流下させて、マットを通過して凝縮器に吸い込まれる空気を、マットを流下する水と熱交換させて冷却する方式が提案されている。
【０００３】
上記の補助冷却装置は、冷却水を凝縮器の放熱フィンに直接吹き付けるのではなく、凝縮器の放熱フィンを冷却する空気を冷却水により冷却する間接的な冷却方式であるので、放熱フィンには冷却水による腐食やスケールの付着が生じることがない。また、この補助冷却装置は、既設の凝縮器に後付けにより付加することができ、着脱・交換も簡単であるという利点がある。
【０００４】
補助冷却装置の室外機への取付けについては、本出願人は、既に、室外機の空気吸込口に対してスペーサを介して配置した補助冷却装置に、バンド状の固定部材の両端部を係止し、その状態で固定部材を室外機の周囲に巻き付け、固定部材の中間部に設けたコイルばねの付勢力で補助冷却装置を室外機に押し付けて固定する構造を提案している（特許文献１）。即ち、マットとフレームとから成る補助冷却装置をアングル材によって自立させており、補助冷却装置が風で飛ばないようにベルトで室外機に締め付けて固定している。この場合、室外機には、孔穿け加工などの固定のための加工が必要ないので、錆を発生させたり、外観を損ねることがなく、また、汎用のスペーサを用いることが可能であるため、コストを軽減することができる。
【０００５】
上記の補助冷却装置については、両面タイプの場合（補助冷却装置が室外機の両サイドに配置されている場合）、固定具のバンドが室外機の外枠ケースの裏側をも周回しているので、マットの交換時などの場合には、バンドを係止する係止金具をケースから取り外してバンドを外す必要があり、作業が煩雑で、時間と手間を要している。これを考慮して、本出願人は、両面吸込み式の室外機の各空気吸込み口に対向配置される補助冷却装置について、互いに対向する２組の側端部を当該側端部間に張り渡した帯状の固定部材で引き寄せ状態にすることで、室外機のケースに押し当てて固定するものを提案している。この場合、帯状の固定部材は、室外機の周りを巡らせることなく室外機の側面においてのみ張り渡されているので、両補助冷却装置の取付け、取外しが容易となる（特許文献２）。
【特許文献１】特開２００６−１８３９５１号公報
【特許文献２】特開２００７−１９８６７４号公報
【発明の開示】
【発明が解決しようとする課題】
【０００６】
上記の各先行技術は、それぞれ、補助冷却装置の凝縮器（冷凍サイクルの室外機）への取付け・取り外しを簡素化・効率化を図るものであるが、取付け作業において、作業者は面積が広く且つ重量が重い補助冷却装置を支えながら室外機の冷却用空気の空気吸込み口に対して正確に位置決めする必要があり、一人での作業が困難であり、作業性の改善が求められている。
【０００７】
この発明の目的は、上記の問題を解決し、補助冷却装置の室外機への取付け作業を簡単化・容易化することができる補助冷却装置の室外機への取付け構造を提供することにある。
【課題を解決するための手段】
【０００８】
上記の課題を解決するため、この発明は、冷凍サイクルの室外機の空気吸込口に対向して通気性を有するマットを配置し、該マットを通過して前記空気吸込口に吸入される冷却用空気を前記マットに給水された水と接触させて冷却するようにした補助冷却装置の室外機への取付け構造であって、前記室外機に取り付けられ、前記マットが前記空気吸込口に対向した状態で前記補助冷却装置を吊下げ支持する支持手段と、前記支持手段に支持された前記補助冷却装置を前記空気吸込口に対して所定の位置に配置された状態で固定する固定手段と、を具備することを特徴としている。
【発明の効果】
【０００９】
この発明による補助冷却装置の室外機への取付け構造は、上記のように構成されているので、次のような効果を奏する。即ち、補助冷却装置の室外機への取付けに際しては、先ず補助冷却装置を支持手段に吊下げ支持させるので、作業者は補助冷却装置の重量を支える必要が無い。これによって、補助冷却装置の仮の位置決めができ、その状態から補助冷却装置を若干移動させて所定の位置に位置決めして固定する。補助冷却装置の室外機への取付け作業は、従来は位置決めと固定の作業のために複数の作業者が必要であったが、この発明によれば、１人の作業員でも行うことができる。
【発明を実施するための最良の形態】
【００１０】
以下、添付した図面に基づいて、この発明による補助冷却装置の室外機への取付け構造の実施例を説明する。図１は本発明の補助冷却装置の取付け構造により補助冷却装置が取り付けられた室外機を示す図であり、（ａ）は正面図、（ｂ）は平面図、（ｃ）は側面図、図２は補助冷却装置の取付け構造の斜視図、図３は補助冷却装置の要部の拡大斜視図、図４は第１ブラケットと第２ブラケットを室外機から取り外した状態を示す斜視図、図５は取り付けた状態を示す斜視図である。
【００１１】
図１において、補助冷却装置３０は、繊維材から成り上部から給水された冷却水が流下するマット３１と、マット３１を保持するフレーム３２を備えている。フレーム３２は、上下に間隔をおいて配置された上下一対の横フレーム３３，３４と、左右に間隔をおいて配置され、横フレーム３３，３４の端部を連結する左右一対の縦フレーム３５とを有している。図２に示すように、縦フレーム３５は、断面ｈ字状のアングルフレームであり、開いた側を補助冷却装置３０の側方に向けて配置されている。
【００１２】
図３に示すように、縦フレーム３５は、垂直に延びる底壁３６と、底壁３６の一方の側から側方に突出する表側壁３７と、底壁３６の他方の側から側方に突出する裏側壁３８とを備えている。
【００１３】
図１〜図５において、符号１０は第１ブラケット、符号２０は第２ブラケットであり、第１ブラケット１０及び第２ブラケット２０は、それぞれ、室外機１の空気吸込み口３の側方に位置する縦フレーム２の上方位置と中間位置に取り付けられる。第１ブラケット１０及び第２ブラケット２０は、室外機１の縦フレーム２に予め形成されているネジ孔４を利用して取り付けられる。
【００１４】
第１ブラケット１０は、側面形状がＪ字状をしたフック形状のもので、垂直に延びるとともに室外機１の縦フレーム２に対して取り付けられる取付け部１１と、取付け部１１の下端から水平方向に延出する支持部１２と、支持部１２の先端から上向きに突出する先端部１３とを有する。
【００１５】
取付け部１１には、ネジが挿通される孔１４や切欠き１５が形成されている。室外機１に装備されたネジ１６を、孔１４や切欠き１５に通した後、室外機１のネジ孔４にねじ込むことによって、第１ブラケット１０は室外機１の縦フレーム２に取り付けられる。先端部１３には、補助冷却装置を取り付けるためのかしめナット１７が設けられている。
【００１６】
第２ブラケット２０は、垂直に延びるとともに室外機１の縦フレーム２に対して取り付けられる上下の取付け部２１，２２、両取付け部２１，２２の上端と下端から水平方向に延出した水平部２３，２４、及びこれらの先端側をつなぐ先端部２５を備えている。
【００１７】
取付け部２１には孔２６が形成されており、取付け部２２にはその一側部に横長の切欠き２７ａが形成され、下端部に縦長の切欠き２７ｂが形成されている。室外機１に装備されたネジ１６を孔２６や切欠き２７ａ，２７ｂに通した後、室外機１のネジ孔４にねじ込むことによって、第２ブラケット２０は室外機１の縦フレーム２に取り付けられる。補助冷却装置を固定するため、第２ブラケット２０の先端部２５には、かしめナット２８が固定されている。
【００１８】
図５に示すように、第１ブラケット１０と第２ブラケット２０を室外機１に取り付けた状態において、第１ブラケット１０の先端部１３の室外機１の縦フレーム２の表面からの突出距離Ｄ１は、第２ブラケット２０の先端部２５の室外機１の縦フレーム２の表面からの突出距離Ｄ２とほぼ等しくなる。
【００１９】
第１ブラケット１０及び第２ブラケット２０は、縦フレーム３５の裏側壁３８に形成された切欠き４０，４１を介して縦フレーム３５内に入り込み、先端部１３，２５が表側壁３７の内面側に当接した状態で縦フレーム３５に固定される。
【００２０】
図３に示すように、縦フレーム３５の表側壁３７には、蝶ボルト４４を挿通させる二つの挿通孔４２，４３が形成されている。この挿通孔４２，４３の形成位置は、それぞれ、室外機１に取り付けられた第１ブラケット１０と第２ブラケット２０のかしめナット１７，２８の位置に対応している。後述するように、蝶ボルト４４を挿通孔４２，４３に通した後に第１ブラケット１０及び第２ブラケット２０に設けられているかしめナット１７，２８にねじ込むことによって、補助冷却装置３０が、各ブラケット１０，２０を介して室外機１に取り付けられる。
【００２１】
縦フレーム３５の裏側壁３８に第１ブラケット１０に対応して形成されている上側の切欠き４０は、補助冷却装置３０の側方に開いて形成されており、上下の切欠き幅は、第１ブラケット１０の先端部１３の通過を許容するため、先端部１３の上下幅よりも広く形成されている。また、縦フレーム３５の裏側壁３８に第２ブラケット２０に対応して形成されている下側の切欠き４１は、側方と下方とに開いて形成されている。したがって、第２ブラケット２０の先端部２５は切欠き４１を通過可能である。
【００２２】
補助冷却装置３０を室外機１に取り付ける際には、補助冷却装置３０の左右の縦フレーム３５にそれぞれ形成されている切欠き４０，４１に、室外機１の左右の縦フレーム２にそれぞれ取り付けられている第１及び第２の各ブラケット１０，２０を入り込ませて、補助冷却装置３０を室外機１の空気吸込み口３に接近させる。これにより、補助冷却装置３０は、左右に配設されている第１ブラケット１０に吊り下げられた状態で支持され、室外機１の空気吸込み口３に対向して配置された仮置き状態となる。
【００２３】
この仮置き状態では、上側の切欠き４０の上縁部分が第１ブラケット１０の水平部１２に支持された状態となり、第１ブラケット１０によって補助冷却装置３０の重量が支えられ、作業者が補助冷却装置３０から手を離してもその状態が維持されるので、その後の取付け作業が容易となる。縦フレーム３５の下側の切欠き４１については、この吊り下げ状態において第２ブラケット２０の水平部２３と当接しないように寸法設定されているので、補助冷却装置３０の重量は第２ブラケット２０によって支持されない。なお、この状態において、補助冷却装置３０を空気吸込み口３に接離する方向に移動させると第１ブラケット１０の先端部１３により移動が制限されるので、第１ブラケット１０と縦フレーム３５との係合が外れることがなく、補助冷却装置３０を横方向に移動させると第１ブラケット１０の支持部１２により移動が制限されるので、第１ブラケット１０と縦フレーム３５との係合が外れることがない。よって、補助冷却装置３０が落下する恐れはなく安全である。
【００２４】
そして、蝶ボルト４４を補助冷却装置３０の挿通孔４２，４３に挿通させて各ブラケット１０，２０のかしめナット１７，２８にねじ締めすることにより、補助冷却装置３０は室外機１に取り付けられる。挿通孔４２，４３をそれに対応する第１ブラケット１０及び第２ブラケット２０のかしめナット１７，２８の位置に整合させるため、補助冷却装置３０をその仮置き状態から若干浮かすように持ち上げることになるが、その移動量は極めて僅かであって位置合わせ作業は容易である。しかも、蝶ボルト４４のねじ締め操作を補助冷却装置３０の表側から行うことができるので、１人の作業者でも補助冷却装置３０の取付け作業を容易に行うことができる。
【００２５】
補助冷却装置３０は、室外機１の各空気吸込み口３に関して、図２に示したように所定間隔Ｇを置いて配置される。間隔Ｇは、補助冷却装置３０の厚さと上下左右に設けられた四つのブラケット１０，２０の先端部１３，２５の縦フレーム２からの突出距離Ｄ１，Ｄ２（図５参照）とによって定められる。補助冷却装置３０の取付け状態では、マット３１と室外機１の空気吸込み口３との間には、充分な間隔Ｇが形成されており、補助冷却装置３０のマット３１が目詰まりした状態でも、側方から空気を室外機１内に取り込むことができる。このように、各ブラケット１０，２０は、従来技術において、アルミの角材を室外機１と補助冷却装置３０との間に挟んでスペースを確保していたスペーサを兼ねている。
【００２６】
上記の例では、第１ブラケット１０と第２ブラケット２０の室外機１からの突出距離Ｄ１，Ｄ２を等しくしているが、第２ブラケット２０の突出距離Ｄ２を第１ブラケット１０の突出距離Ｄ１よりも若干短く設定してもよい。こうすることにより、補助冷却装置３０は室外機１に対して少し前屈み状態に傾斜して取り付けることになり、マット３１を流下する冷却水が補助冷却装置３０の表側を流れ落ちるようにすることができ、冷却水の気化作用を促進させることができる。
【００２７】
また、第２ブラケット２０は第１ブラケット１０と同じ形状にしてもよく、この場合、プレス金型を共通化することができるので、コストが低減する。更に、補助冷却装置３０は、挿通孔４２，４３の加工位置やブラケット１０，２０の室外機１  への取付け位置等の位置誤差が取付けの際の障害とならないように、ブラケット１０，２０の支持部１２，２３からは意図的に僅かに浮かせた状態で取り付けられるが、加工や位置の精度を向上すれば、この浮き状態は可及的に解消することが可能である。
【００２８】
また、加工誤差への対策として種々の工夫を挙げることができきる。例えば、各ブラケット１０，２０に形成されている切欠き１５，２７は、ブラケット１０、２０の取付け位置と室外機１のネジ孔４の形成位置との誤差を吸収するものであるが、一方の側の各ブラケット１０，２０に対する他方の側の各ブラケット１０，２０の取付け位置の誤差を吸収するような孔形状や、或いは各ブラケット１０，２０に対する補助冷却装置３０側の挿通孔４２，４３の相対位置の誤差を吸収するような孔形状（長孔や楕円孔）を採用することもできる。
【００２９】
このように、本発明によれば、補助冷却装置３０を室外機１に対して固定する直前まで空気吸込み口３に対向した状態で仮の位置決めをし、この状態からの僅かな移動量で補助冷却装置３０を所定位置に位置決めして固定することにより、取付けを完了させることができるので、補助冷却装置３０の室外機１への取付け作業を１人の作業者で行うことができ、作業性を大幅に向上することができる。また、第１ブラケット１０及び第２ブラケット２０の室外機１への取付けに際して、室外機１に形成された既存のネジ孔４や室外機１に装備されたネジ１６を利用することにより、室外機１に新たに加工を施すことなく、補助冷却装置３０を簡単に取り付けることができる。更に、蝶ボルト４４のような強固な固着具と、金属（アルミニウム）製のブラケット１０，２０とによって、補助冷却装置３０を充分な強度で室外機１に取り付けることができる。
【図面の簡単な説明】
【００３０】
【図１】本発明の補助冷却装置の取付け構造により補助冷却装置が取り付けられた室外機を示す図であり、（ａ）は正面図、（ｂ）は平面図、（ｃ）は側面図である。
【図２】補助冷却装置の取付け構造の斜視図である。
【図３】補助冷却装置の要部の拡大斜視図である。
【図４】第１ブラケットと第２ブラケットを室外機から取り外した状態を示す斜視図である。
【図５】第１ブラケットと第２ブラケットを室外機に取り付けた状態を示す斜視図である。
【符号の説明】
【００３１】
１  室外機                          ３  空気吸込み口
１０  第１ブラケット（支持手段）    １６  ネジ（固定手段）
１７  かしめナット（固定手段）      ２０  第２ブラケット（固定手段）
２８  かしめナット（固定手段）
３０  補助冷却装置                  ３１  マット
４４  蝶ボルト  （固定手段）
【図１】
2009127891.tif 000003
【図２】
2009127891.tif 000004
【図３】
2009127891.tif 000005
【図４】
2009127891.tif 000006
【図５】
2009127891.tif 000007